(57)【特許請求の範囲】
【請求項１】
放出器から測定空間に放出された活性種の測定対象に対する付着量を求める方法であって、
前記測定空間に配置した上面が平坦面となった試料台に測定対象である不飽和二重結合を有した脂質を滴下し、その後、前記放出器から少なくとも活性種を放出し、前記滴下直後の前記脂質の平面積と、放出を開始して所定時間経過した後の平面積を求め、両平面積の差に基づいて前記脂質の加水分解の程度を求め、前記脂質の加水分解の程度に基づいて前記活性種の付着量を求めることを特徴とする放出器から測定空間に放出された活性種の測定対象に対する付着量を求める方法。
【請求項２】
前記滴下される脂質が、クロロホルムを用いて所定濃度に調整したトリオレインであることを特徴とする請求項１記載の放出器から測定空間に放出された活性種の測定対象に対する付着量を求める方法。
【請求項３】
前記脂質を滴下する平坦面が鏡面処理されていることを特徴とする請求項１又は請求項２記載の放出器から測定空間に放出された活性種の測定対象に対する付着量を求める方法。
【請求項４】
前記脂質を滴下する平坦面が親水性処理されていることを特徴とする請求項１又は請求項２記載の放出器から測定空間に放出された活性種の測定対象に対する付着量を求める方法。
【請求項５】
放出器から測定空間に放出された活性種の測定対象に対する付着量を求めるシステムであって、
測定空間中に少なくとも活性種を放出するための放出器と、前記測定空間に配置され上面の平坦面となった試料台と、前記平坦面に滴下された不飽和二重結合を有する脂質の滴下直後の前記脂質、及び、放出を開始して所定時間経過した後の前記脂質を撮像する撮像部と、前記撮像部で撮像した画像から脂質の平面積を求める平面積算出部と、この平面積算出部で算出した滴下直後の脂質の平面積と、放出を開始して所定時間経過した後の脂質の平面積の差に基づいて前記脂質の加水分解の程度を求める加水分解程度算出部と、この加水分解程度算出部で算出した前記脂質の加水分解の程度に基づいて前記活性種の測定対象に対する付着量を求める付着量算出部を備えていることを特徴とする放出器から測定空間に放出された活性種の測定対象に対する付着量を求めるシステム。
【発明の詳細な説明】
【技術分野】
【０００１】
本発明は、放出器から測定空間に放出された活性種の測定対象に対する付着量を求める方法及びそのシステムに関するものである。
【背景技術】
【０００２】
従来から、霧化電極と、霧化電極に水を供給する供給手段とを備え、霧化電極に高電圧を印加することで霧化電極に保持された水を静電霧化してナノメータサイズの帯電微粒子液を生成する静電霧化器が特許文献１などにより知られている。
【０００３】
この静電霧化器が発生するナノメータサイズの帯電微粒子液はヒドロキシラジカル又はスーパーオキシドアニオン等の活性種（ラジカル）が含まれていて、この活性種による酸化作用で脱臭効果や、ウイルス、カビ菌の除菌、抑制効果などがあることがわかっている。
【０００４】
また、放電電極に高電圧を印加して放電によりマイナスイオン又はプラスイオンを発生させる空気イオン放出器も知られている。
【０００５】
この空気イオン放出器は、静電霧化器に比べると、活性種の発生量は少ないが、放電により空気中の水分を元にしてヒドロキシラジカルのような活性種が発生するといわれている。
【先行技術文献】
【特許文献】
【０００６】
【特許文献１】特開２００６−６８７１１号公報
【発明の概要】
【発明が解決しようとする課題】
【０００７】
しかしながら、従来にあっては、前述のような静電霧化器、イオン放出器などのラジカルを発生させる放出器から発生させるラジカルを、付着させようとする対象に対してどの程度付着したかを測定できないという問題があった。
【０００８】
本発明は上記の従来例の問題点に鑑みて発明したものであって、放出器から測定空間に放出された活性種の測定対象に対する付着量を求めることができる方法及びシステムを提供するにある。
【課題を解決するための手段】
【０００９】
本発明の方法は、放出器から測定空間に放出された活性種の測定対象に対する付着量を求める方法であって、前記測定空間に配置した上面が平坦面となった試料台に測定対象である不飽和二重結合を有した脂質を滴下し、その後、前記放出器から少なくとも活性種を放出し、前記滴下直後の脂質の平面積と、放出を開始して所定時間経過した後の平面積を求め、両平面積の差に基づいて前記脂質の加水分解の程度を求め、前記脂質の加水分解の程度に基づいて前記活性種の付着量を求めることを特徴とする。
【００１０】
前記滴下される脂質が、クロロホルムを用いて所定濃度に調整したトリオレインであることが好ましい。
【００１１】
また、前記脂質を滴下する平坦面が鏡面処理されていることが好ましい。
【００１２】
また、前記脂質を滴下する平坦面が親水性処理されていることが好ましい。
【００１３】
本発明のシステムは、放出器から測定空間に放出された活性種の測定対象に対する付着量を求めるシステムであって、測定空間中に少なくとも活性種を放出するための放出器と、前記測定空間に配置され上面の平坦面となった試料台と、前記平坦面に滴下された不飽和二重結合を有する脂質の滴下直後の前記脂質、及び、放出を開始して所定時間経過した後の前記脂質を撮像する撮像部と、前記撮像部で撮像した画像から脂質の平面積を求める平面積算出部と、この平面積算出部で算出した滴下直後の脂質の平面積と、放出を開始して所定時間経過した後の脂質の平面積の差に基づいて前記脂質の加水分解の程度を求める加水分解程度算出部と、この加水分解程度算出部で算出した前記脂質の加水分解の程度に基づいて前記活性種の測定対象に対する付着量を求める付着量算出部を備えていることを特徴とする。
【発明の効果】
【００１４】
本発明は、不飽和二重結合を有する脂質を、平坦面に滴下して滴下直後と、所定時間後の平面積の差に基づいて前記脂質の加水分解の程度を求めるので、簡単に脂質の加水分解の程度を求めることができる。そして、この脂質の加水分解の程度に基づいて脂質を加水分解する成分の付着量を求めるので、測定空間中に浮遊する不飽和二重結合を有する脂質を加水分解する成分の付着量を求めることができる。
【図面の簡単な説明】
【００１５】
【図１】本発明の概略構成図である。
【図２】同上の制御部ブロック図である。
【図３】同上に用いる静電霧化器の概略構成図である。
【発明を実施するための形態】
【００１６】
以下、本発明を添付図面に示す実施形態に基づいて説明する。
【００１７】
図１には放出器１から測定空間２に放出された活性種の測定対象３に対する付着量を求める方法及び装置の概略構成図を示し、図２にはシステムの制御ブロック図を示している。
【００１８】
測定空間２は外部から遮断された閉空間で、この測定空間２内に放出器１、試料台４、撮像部５を配置する。
【００１９】
放出器１は、少なくともヒドロキシラジカル又はスーパーオキシドアニオン等の活性種を放出する機能を備えているものであればどのようなものでもよいが、例えば、ナノメータサイズの帯電微粒子水を放出する静電霧化器を挙げることができる。
【００２０】
試料台４は放出器１から所定の距離Ｌを隔てて配置する。この試料台４の上面は平坦面となっており、測定に当たって、この試料台４の上に測定対象３である不飽和二重結合を有する脂質を滴下するようになっている。
【００２１】
撮像部５は、顕微鏡・カメラにより構成してあって、試料台４の真上に配置し、試料台４の上面の平坦面に滴下した不飽和二重結合を有した脂質を撮像する。
【００２２】
撮像に当たっては、まず、滴下直後の不飽和二重結合を有した脂質を撮像し、次に、この脂質の滴下と同時又は滴下後任意時間後に放出器１の運転を開始し（活性種の放出を開始し）、所定時間経過した後の脂質を撮像するようになっている。
【００２３】
この撮像部５による撮像は、測定空間２の外に配置したパソコンよりなる制御部９からの撮像指令信号により撮像制御が行われ、撮像部５で撮像した画像データが制御部９に入力されるようになっている。
【００２４】
制御部９には、図２に示すように、平面積算出部６と、加水分解程度算出部７と、付着量算出部８を備えている。
【００２５】
平面積算出部６は、滴下直後の脂質の画像データ、活性種の放出を開始して所定時間経過した後における脂質の画像データから、滴下直後及び活性種の放出を開始して所定時間経過した後における脂質の平面積を算出する。
【００２６】
また、加水分解程度算出部７は、平面積算出部６で求めた滴下直後の脂質の平面積と、活性種の放出を開始して所定時間経過した後における脂質の平面積との差に基づいて、脂質の加水分解の程度を求める。
【００２７】
また、付着量算出部８は、加水分解程度算出部７で算出した前記脂質の加水分解の程度に基づいて活性種の測定対象３に対する付着量を求める。
【００２８】
図３には放出器１を構成する静電霧化器の一実施形態の概略構成図を示している。
【００２９】
静電霧化器は、放電電極１０と、放電電極１０に水を供給する水供給手段１１と、放電電極１０に供給された水に高電圧を印加して静電霧化により帯電微粒子水を生成するための電圧印加部１３とを備えている。
【００３０】
放電電極１０に水を供給する水供給手段１１は、水溜め部に溜めた水を毛細管現象を利用して供給したり、加圧により水を供給したり、重力を利用して流下又は滴下することで水を供給したり、あるいは、ペルチェユニット１１ａのような冷却手段により空気中の水分を冷却して結露水を生成することで放電電極１０に水を供給するようになっている。
【００３１】
図３に示す実施形態では、ペルチェユニット１１ａのような冷却手段を用いた例を示している。
【００３２】
また、図３に示す実施形態では、絶縁性を有する略筒状をした本体ケース１４の内部を仕切りで仕切り、本体ケース１４内の仕切りで仕切った片側半分に水供給手段１１であるペルチェユニット１１ａを内装し、本体ケース１４内の他の片側半分が静電霧化室となっている。
【００３３】
ペルチェユニット１１ａは、一対のペルチェ回路板を、互いの回路が向き合うように対向させ、多数列設してある熱電素子を両ペルチェ回路板間で挟持すると共に隣接する熱電素子同士を両側の回路で電気的に接続している。そして、ペルチェ入力リード線を介して熱電素子に通電すると、一方のペルチェ回路板側から他方のペルチェ回路板側に向けて熱が移動するように構成している。
【００３４】
一方の側のペルチェ回路板の外側には冷却部１５を接続している。また、他方の側のペルチェ回路板の外側には放熱部１６を接続しており、実施形態では放熱部１６として放熱フィンの例を示している。
【００３５】
ペルチェユニット１１ａの冷却部１５側に放電電極１０の後端部を接続し、放電電極１０を本体ケース１４内の仕切り９に設けた孔を嵌通して静電霧化室内に突出している。
【００３６】
筒状をした本体ケース１４の先端開口部に環状をした対向電極１２が設けてある。
【００３７】
なお、対向電極１２は必須の要件ではなく、遠方上としてもよく、また、静電霧化器が格納されるハウジングの他、帯電除去板を対向としてもよい。
【００３８】
放出器１を構成する静電霧化器を運転すると、ペルチェユニット１１ａに通電されて冷却部１５が冷却され、冷却部１５が冷却されることで放電電極１０が冷却され、空気中の水分を結露して放電電極１０の先端に水（結露水）を供給する。このように放電電極１０に水が供給された状態で上記放電電極１０の先端に供給された水に高電圧を印加することで、該高電圧により放電電極１０の先端部に供給された水の水面が局所的に錐状に盛り上がり（テーラーコーン）が形成される。テーラーコーンが形成されると、該テーラーコーンの先端に電荷が集中してこの部分における電界強度が大きくなって、更にテーラーコーンを成長させる。テーラーコーンが成長し該テーラーコーンの先端に電荷が集中して電荷の密度が高密度となると、テーラーコーンの先端部分の水が大きなエネルギー（高密度となった電荷の反発力）を受ける。このように、テーラーコーンの先端部分の水が大きなエネルギーを受けると、表面張力を超えて分裂・飛散（レイリー分裂）を繰り返してマイナスに帯電したナノメータサイズの帯電微粒子水が大量に生成する。
【００３９】
静電霧化により生成される帯電微粒子水にはヒドロキシラジカル又はスーパーオキシドアニオン等の活性種が含まれており、この活性種による酸化作用で脱臭効果や、ウイルス、カビ菌の除菌、抑制効果などがある。
【００４０】
前記放出器１を構成する静電霧化器から放出される活性種の測定対象３に対する付着量を求めるには以下のようにして行う。
【００４１】
測定空間２内に配置した試料台４の平坦面となった上面に不飽和二重結合を有した脂質を滴下する。不飽和二重結合を有した脂質としては、例えば、クロロホルムを用いて所定濃度に調整したトリオレインを用いることができる。
【００４２】
試料台４の平坦面に不飽和二重結合を有した脂質を滴下した直後に脂質を撮像部５により撮像し、撮像した画像データを制御部９に入力する。
【００４３】
試料台４の平坦面への不飽和二重結合を有した脂質の滴下と同時又は滴下後任意時間経過後に、放出器１である静電霧化器の運転を開始して測定空間２内にラジカルを含む帯電微粒子水を放出する。
【００４４】
測定空間２内への帯電微粒子水の放出を行うと、測定空間２内を帯電微粒子水が浮遊し、この浮遊した帯電微粒子水が、所定距離Ｌ離れた試料台４上面に滴下した不飽和二重結合を有した脂質に付着すると、帯電微粒子水に含まれるラジカルの加水分解力（酸化力）により不飽和二重結合を有した脂質が加水分解される。不飽和二重結合を有した脂質が加水分解されると、濡れ性が良くなり、面方向の面積が大きくなる。
【００４５】
静電霧化器の運転開始によるラジカル放出開始から所定時間経過後に、脂質を撮像部５により撮像し、撮像した画像データを制御部９に入力する。
【００４６】
入力された滴下直後の脂質の画像データと、活性種の放出を開始して所定時間経過した後における脂質の画像データに基づいて、滴下直後の脂質の平面積と、活性種の放出を開始して所定時間経過した後における脂質の平面積を、平面積算出部６で求める。
【００４７】
次に、滴下直後の脂質の平面積と、活性種の放出を開始して所定時間経過した後における脂質の平面積の差を、加水分解程度算出部７で求めると共に、この平面積の差に基づいて、脂質の加水分解の程度を求める。
【００４８】
例えば、滴下直後の脂質の平面積をＡ、活性種の放出を開始して所定時間経過した後における脂質の平面積をＢ、その差をＣとすると、Ｂ−Ａ＝Ｃとなる。そして、Ａに対するＣの割合を求めると、単位面積当たりの加水分解の割合（程度）を求めることができる。
【００４９】
ここで、試料台４上面の前記脂質を滴下するための平坦面を鏡面処理しておくことがこのましい。このように鏡面処理したものにおいては、凹凸がないため滴下した脂質の加水分解による広がりにばらつきがないようにでき、安定して単位面積当たりの加水分解の割合（程度）を求めることができる。
【００５０】
また、試料台４上面の前記脂質を滴下するための平坦面を親水性処理しておくのも好ましい。このように親水性処理をしたものにおいては、脂質が加水分解によって広がりやすくなるため、測定を精度よく行うことができる。
【００５１】
次に、このようにして求めた加水分解程度算出部７で算出した前記脂質の加水分解の程度に基づいて前記活性種の測定対象３に対する付着量を付着量算出部８で求める。
【００５２】
ここで、あらかじめ、測定対象３である不飽和二重結合を有する単位面積当たりの脂質の加水分解の割合と、加水分解に必要なラジカルの量の関係のデータをあらかじめデータベースに保存してある。したがって、付着量算出部８により、単位面積当たりの加水分解の割合（程度）に対応した単位面積当たりのラジカルの付着量を上記データベースから求める。
【００５３】
求めた単位面積当たりのラジカルの付着量は、制御部９からの出力によりディスプレーに表示したり、あるいは、プリントアウトにより文字で表示したりする。
【００５４】
このようにして放出器１から測定空間２に放出された活性種の測定対象に対する付着量を簡単に求めることができるので、放出器１から放出されたラジカルが、放出器１から所定距離Ｌ離れ定置する測定対象３に対する放出開始から所定時間経過後にどれだけ付着したかが簡単に推定でき、これに基づいて放出器１の評価等ができる。
【００５５】
上記実施形態では、放出器１として帯電微粒子水を生成して放出する静電霧化器を例として説明したが、放電電極に高電圧を印加して放電によりマイナスイオン又はプラスイオンを発生させる空気イオン放出器であってもよい。この場合、静電霧化器に比べると、活性種の発生量は少ないが、放電により空気中の水分を元にしてヒドロキシラジカルのような活性種が発生するので、本実施形態の場合も、測定空間に放出された活性種の測定対象に対する付着量を同様にして求めることができる。
【００５６】
なお、放出器１としては、上記静電霧化器、空気イオン放出器にのみ限定されず、少なくともラジカルを放出することができるものであれば、他の放出器であってもよいのはもちろんである。
【００５７】
以下、具体的な実施例につき説明する。
【実施例】
【００５８】
縦２．４ｍ×横３．４ｍ×高さ２．５ｍの周囲を壁、床、天井で外部に対して遮断した部屋を測定空間２とした。
【００５９】
測定空間２内の環境は、温度：２５℃、湿度：４０％ＲＨとした。この測定空間２内に放出器１としての静電霧化器と、上面が平坦面となった試料台４と、撮像部５としてのカメラを配置した。静電霧化器と試料台４とは２ｍ離して設置した。
【００６０】
使用する静電霧化器は、パナソニック電工株式会社製の静電霧化装置；０９空質仕様（放電距離２．５ｍｍ、放電電極の先端が球面となった球面電極、電圧３．５ｋＶ、電流８μＡ）を使用した。
【００６１】
また、撮像部５としてのカメラは、キーエンス社製の顕微鏡・カメラ；ＶＨＸ−１００を使用した。
【００６２】
試料台４は金属（ＳＵＳ３０４）製のものを使用した。
【００６３】
測定対象３である不飽和二重結合を有する脂質としてトリオレインをクロロホルム０．０５％溶液で調整した溶液を、試料台４の上面の平坦面に０．２μｌを滴下した。
【００６４】
滴下直後の脂質を試料台４の真上に配置した撮像部５で撮像した。
【００６５】
また、滴下と同時に静電霧化器の運転を開始して帯電微粒子水を生成し、測定空間２内に放出した。
【００６６】
静電霧化器を１時間運転し、静電霧化器の運転開始から１時間経過後の試料台４上の脂質を撮像部５で撮像した。
【００６７】
上記滴下直後の脂質の面積Ａは０．１６ｃｍ２で、静電霧化器の運転開始から１時間経過後の脂質の面積Ｂは０．１９２ｃｍ２で、その差（Ｂ−Ａ＝Ｃ）は０．０３２ｃｍ２で、Ａに対するＣの割合は０．２であり、これに基づき、活性種の測定対象３に対する付着量を求めると、活性種の付着量は９．０×１０−１４ｍｏｌであった。
【符号の説明】
【００６８】
１  放出器
２  測定空間
３  測定対象
４  試料台
５  撮像部
６  平面積算出部
７  加水分解程度算出部
８  付着量算出部
【図１】
0005406770.tif 000002
【図２】
0005406770.tif 000003
【図３】
0005406770.tif 000004